【手続補正書】
【提出日】平成17年8月22日(2005.8.22)
【手続補正１】
【補正対象書類名】明細書
【補正対象項目名】特許請求の範囲
【補正方法】変更
【補正の内容】
【特許請求の範囲】
【請求項１】
添付ファイルを含む電子メールを受信する受信手段と、
前記電子メールのメールヘッダ内に書き込まれた送信識別情報を解析する送信情報解析手段と、
前記添付ファイルに含まれるキーファイル部に書き込まれた識別情報を解析するキーファイル解析手段と、
を有する電子メール受信システム。
【請求項２】
前記送信識別情報は、前記送信者のアドレス又はドメイン名を含むことを特徴とする請求項１に記載の電子メール受信システム。
【請求項３】
前記ドメイン名は、送信サーバ又は中継サーバに係るドメイン名を含むことを特徴とする請求項２に記載の電子メール受信システム。
【請求項４】
前記送信識別情報は、前記電子メールの送信前に登録されており、
前記送信情報解析手段は、受信した前記電子メールのメールヘッダ内の送信識別情報が、登録されている前記送信識別情報と一致している場合に、当該電子メールを正当とすることを特徴とする請求項１乃至３のいずれか一項に記載の電子メール受信システム。
【請求項５】
受信した前記電子メールのメールヘッダ内の送信識別情報が登録されている前記送信識別情報と一致しない場合、該電子メールを廃棄することを特徴とする請求項２乃至４のいずれか一項に記載の電子メール受信システム。
【請求項６】
前記キーファイル部には、前記識別情報として、少なくとも前記送信者に係る前記送信識別情報とデータ関連情報とが含まれることを特徴とする請求項１乃至５のいずれか一項に記載の電子メール受信システム。
【請求項７】
前記キーファイル解析手段は、前記メールヘッダ部に書き込まれた前記送信識別情報と、前記キーファイル部に書き込まれた前記送信識別情報とに整合性があるとき、前記添付ファイルを正当とすることを特徴とする請求項６に記載の電子メール受信システム。
【請求項８】
前記キーファイル解析手段は、前記データ関連情報と前記添付ファイルの内容との整合性があるとき、前記添付ファイルデータを正当とすることを特徴とする請求項６又は７に記載の電子メール受信システム。
【請求項９】
前記データ関連情報は、前記添付ファイルデータに関連する属性情報又はデータファイル名を含むことを特徴とする請求項６乃至８のいずれか一項に記載の電子メール受信システム。
【請求項１０】
前記添付ファイルデータが正当と判断された場合に、該添付ファイルデータを格納することを特徴とする請求項７乃至９のいずれか一項に記載の電子メール受信システム。
【請求項１１】
前記添付ファイルデータが正当でないと判断された場合に、該添付ファイルデータを廃棄することを特徴とする請求項７乃至１０のいずれか一項に記載の電子メール受信システム。
【手続補正２】
【補正対象書類名】明細書
【補正対象項目名】００１２
【補正方法】変更
【補正の内容】
【００１２】
電子メール送信サーバ３は、次の処理を行っている。送信端末装置１から送られた電子メールにおけるメールヘッダの先頭に「Ｒｅｃｅｉｖｅｄ」ヘッダを追加して、どこから受信したのかの情報を記録する。ヘッダに追加される情報は、ｐ１点のＩＰアドレスである。そして、メールアドレスから該当する受信サーバをＤＮＳ（ドメインネームシステム）検索で探し、見つけた受信サーバ４へ通信する。このとき、何らかの事情（主に受信メールサーバが故障中、あるいは、通信障害があるとき）で通信が行えない時は、いったん蓄積したのち、数分から数時間のタイミングを置いて通信をリトライし続ける。システムログに電子メールの送信記録をとる（一般には非公開である）。
【手続補正３】
【補正対象書類名】明細書
【補正対象項目名】００１７
【補正方法】変更
【補正の内容】
【００１７】
この「Ｒｅｃｅｉｖｅｄ」ヘッダの内容のうち、「ＡＡＡ」の部分の形式は、
「相手が名乗った名前
（受信側がＤＮＳ逆引きして得た名前、［ＩＰアドレス］）」
という形式であることが多い。「相手が名乗った名前」は、送信者識別情報を示しているが、送信者が任意に書き込むことができる。そのため、その相手の名乗りは、必ずしも正しくないということになる。カッコ「（  ）」内の情報は、受信したサーバ側で挿入されるので、その意味においては、カッコ内の情報の方が、信頼性が高いということになる。なお、悪質な例では、相手がカッコ付きで名乗る場合がある。こうした場合には、ヘッダには「（  ）」が多く記録されることになるが、受信側が記録した本物のＩＰアドレスがどれかを把握することは可能であり、それは、最後のカッコ内のＩＰアドレスということになる。例えば、ＩＰｖ４では、ＩＰアドレスは、０〜２５５までの数字を４つ組み合わせ、ドット「．」を間に置いて配列されたものが使用されている。
【手続補正４】
【補正対象書類名】明細書
【補正対象項目名】００２６
【補正方法】変更
【補正の内容】
【００２６】
「Ｒｅｃｅｉｖｅｄ」ヘッダのＩＰアドレス「［ｘｘｘ．ｘｘｘ．ｘｘｘ．ｘｘｘ］」は、０から２５５までの数字を組み合わされて形成されており、例えば、「［１９２．１６８．１．１００］」のようになっている。これが、メールサーバと接続した相手（＝発信アドレス）のＩＰアドレスを示している。ダイアルアップ接続である場合には、このＩＰアドレスだけでは、送信者を特定することは困難である。ＩＰアドレスは、サーバに接続したときに、空いているアドレスが動的に割り当てられるからである。しかし、プロバイダは、メールサーバのログとは別に、利用者の接続ログも収集しており（一般には非公開である）、誰がいつ接続して、何番のＩＰアドレスを割り当てたか、そしていつ切断したか、を記録している。
【手続補正５】
【補正対象書類名】明細書
【補正対象項目名】００３３
【補正方法】変更
【補正の内容】
【００３３】
そして、前記送信識別情報は、前記送信者のアドレス又はドメイン名を含み、該ドメイン名には、送信サーバ又は中継サーバに係るドメイン名を含めた。
【手続補正６】
【補正対象書類名】明細書
【補正対象項目名】００３４
【補正方法】変更
【補正の内容】
【００３４】
前記送信識別情報は、前記電子メールの送信前に登録されており、前記送信情報解析手段は、受信した前記電子メールのメールヘッダ内の送信識別情報が、登録されている前記送信識別情報と一致している場合に、当該電子メールを正当とすることとした。
【手続補正７】
【補正対象書類名】明細書
【補正対象項目名】００３５
【補正方法】変更
【補正の内容】
【００３５】
受信した前記電子メールのメールヘッダ内の送信識別情報が登録されている前記送信識別情報と一致しない場合、該電子メールを廃棄することとした。
【手続補正８】
【補正対象書類名】明細書
【補正対象項目名】００４７
【補正方法】変更
【補正の内容】
【００４７】
先ず、送信者は、送信端末装置１を操作して、登録用の電子メールを作成し、受信端末装置５を送信先として該電子メールを送信する。そして、受信端末装置５は、登録用の電子メールを受信する（ステップＳ１）。
【手続補正９】
【補正対象書類名】明細書
【補正対象項目名】００６５
【補正方法】変更
【補正の内容】
【００６５】
さらに、例えば、空間情報を収集して、ＧＩＳソフトウエアで利用するデータベースを構築するような場合、その空間情報収集に電子メール受信システムを適用すると、空間情報の送信者に係る本人認証を確立できるだけでなく、信頼性の高いデータ送信を実現できる。しかも、従来の電子メールシステムを利用したものであり、別途の認証システムの開発導入及び運用の必要が無く、コスト低減になる。